(57)【要約】      （修正有）【課題】傾斜地を安全な宅地に造成するための擁壁支持構造に関するもので、擁壁とアンカーウェイトを連結するためのタイバーを提供する。【解決手段】Ｕ字形状を有したコンクリート片からなるタイバー部材１１ａ、１１ｂ、１１ｃを、縦列して選択された擁壁パネル１とアンカーウェイト６間に設置し、選択された擁壁パネルとアンカーウェイト間に緊張可能な緊張シャフト又は緊張ワイヤーからなる緊張線材１２ａ、１２ｂ、１２ｃ、１２ｄを配設し、緊張線材が縦列配置されたＵ字形状コンクリート片からなるタイバー７のＵ字形状内部に配設され、タイバーが構成するＵ字形状内部にコンクリートを打設して選択された擁壁パネルとタイバーそしてアンカーウェイトを連結して、緊張固定する擁壁とアンカーウェイトを連結固定する。【選択図】図４
2012097525.tif 000002
【特許請求の範囲】
【請求項１】
親杭上部が構成する支柱により垂直方向に積層される複数枚の擁壁パネル、該積層された複数枚の擁壁パネルから高さ方向で任意に選択された擁壁パネル、該選択された擁壁パネルの裏面から対向する方向で安定地盤上に設置されたアンカーウェイト間に介在して選択された擁壁パネルとアンカーウェイトを連結固定するタイバーからなり、該タイバーはＵ字形状を有したコンクリート片からなるタイバー部材から構成され、該タイバー部材を複数個縦列して前記選択された擁壁パネルとアンカーウェイト間に設置し、該選択された擁壁パネルとアンカーウェイト間に緊張可能な緊張シャフト又は緊張ワイヤーからなる緊張線材を複数本配設し、該緊張線材が前記複数個縦列配置されたＵ字形状コンクリート片からなるタイバーのＵ字形状内部に配設され、該タイバーが構成するＵ字形状内部にコンクリートを打設して前記選択された擁壁パネルとタイバーそしてアンカーウェイトを連結して緊張固定することを特徴とする擁壁とアンカーウェイトを連結固定するためのタイバー。
【請求項２】
前記選択された擁壁パネルとアンカーウェイトは同一形状ＰＣコンクリートパネルを使用可能で、該アンカーウェイトパネルの前面には複数本の緊張線材係止端部が埋め込まれており、該緊張線材係止端部から引き出された複数本の緊張線材はＵ字形状コンクリート片からなるタイバーのＵ字形状内部に配設され、前記選択された擁壁パネルの板厚部を貫通して擁壁パネル前面に設けられた外端部の緊締ネジ部に接続されていることを特徴とする請求項１に記載の擁壁とアンカーウェイトを連結固定するためのタイバー。
【請求項３】
前記タイバーはＵ字形状を有したコンクリート片からなるタイバー部材から構成され、該タイバー部材を複数個縦列して前記選択された擁壁パネルとアンカーウェイト間に設置され、該縦列配置されるタイバー部材は上部をコンクリート打設用に開口され、該開口部は平面的に夫々弓型、またはく型に形成されていることを特徴とする請求項１または請求項２の何れかに記載の擁壁とアンカーウェイトを連結固定するためのタイバー。
【請求項４】
前記コンクリート片からなるタイバー部材を複数個縦列して選択された擁壁パネルと安定地盤上に設置されるアンカーウェイト間に設置するにあたり、該擁壁パネルとアンカーウェイト間にタイバー部材を縦列して設置しタイバー部材とタイバー部材間に隙間が生じる場合には可撓性のプラスチックス樹脂からなるタイバー部材のジョイント枠材を用いることを特徴とする請求項１乃至請求項３の何れかに記載の擁壁とアンカーウェイトを連結固定するためのタイバー。
【発明の詳細な説明】
【技術分野】
【０００１】
本発明は、傾斜地を安全な宅地や道路に造成するための擁壁支持構造に関するものであり、更に詳説すれば、擁壁とアンカーウェイトを連結するためのタイバーに関するものである。
【背景技術】
【０００２】
傾斜地の崩落を防止するための従来の擁壁工法の原理は、石やブロック等の材料が重みで傾斜地にもたれ掛った状態で擁壁を構築する方法や、傾斜地の土を掘削した後に当該部分を安定させる方法、並びにＨ型鋼等の凹部嵌合溝を有する親杭を８０〜１５０ｃｍ程度の間隔で打設して傾斜面の掘削に伴い横矢板を前記親杭間の凹部嵌合溝に嵌着して擁壁を構築する方法等がある。
【０００３】
また、近年は土地を有効利用するために傾斜地の利用は益々盛んで、傾斜地に設けられる宅地や道路では、特に豪雨や地震による地盤の崩壊を防止できる擁壁を設けて安全な宅地の造成や、道路の造成を行う擁壁の構築工法の開発が求められており、その擁壁の構築工法は、傾斜地を含む狭隘な地域でも施工が可能である事、また、工事が短期間で出来ることや、工事費が比較的安価であること等が、大きなニーズとなってきている。
【０００４】
斯くして、特開２０００−２９７４０３号公報（以下、特許文献１と称する）は、上述した傾斜地を含む狭隘な地域でも施工が可能で、また、工事が短期間で、比較的安価に施工出来る擁壁の施工方法を提供することを目的としているものである。
【０００５】
図７及び図８は、特許文献１に開示された従来例を示す断面図説明図を夫々示しており、特許文献１の第１の実施形態を示す図７において、５０は基礎、５１は支柱、５２は壁版、５３はアンカーウェイト、５４はタイバー、５５は床板である。
【０００６】
擁壁はどのような構造でもよいが、ここでは一例として、適当な間隔で杭状の基礎５０を形成し、Ｈ型鋼などの支柱５１を立てる。そして、支柱５１間にＰＣ版などにより壁板５２を設け、擁壁を構築している。
【０００７】
一方、擁壁よりも山側の安全地盤にアンカーウェイト５３を設置し、アンカーウェイトと擁壁（支柱５１）間をタイバー５４で結ぶ。アンカーウェイト５３は、例えば鉄筋コンクリートや杭などで構成することができる。また、タイバー５４は、擁壁内側に堀溝を作り堀溝底部に捨てコンクリートを打設後、配筋を施してタイバーを構築する方法や、型枠を作り該型枠内に配筋をして鉄筋コンクリート構造のタイバーを構成することができる。さらには、ＰＣ版を擁壁（支柱５１）とアンカーウェイト５３に固定することによって構成することも可能である。
【０００８】
また、本発明の従来例として開示した特許文献１の第２の実施形態を示す図８においては、壁板５３と床板５５を一体的に構成した例を示している。
【０００９】
この実施形態では、壁版５２と床版５５との接続部における強度を十分保つことができるので、通路上における最大荷重を大きくすることが可能であり、このような壁版５２と床板５５とを一体的に構成する方法としては、例えば第１の実施形態と同様に鉄筋コンクリートの工法を用いたり、あるいは、略三角形状のＰＣコンクリートのように所定の型を用いた成形品として供給することが可能であるとしている。
【００１０】
然しながら、特許文献１にて開示された擁壁の施工方法において、第１の実施形態では、擁壁（支柱５１）とアンカーウェイト５３間を結ぶタイバー５４の構築が、堀溝や型枠内の配筋をコンクリートにて固めて現場施工するものであり、また、第２の実施形態では、壁版５２と床板５５とを一体的に構成する方法として、現場施工の鉄筋コンクリート工法を採用したり、大きくて重い略三角形状のＰＣコンクリート成形品を現場に供給して施工するものである。
【００１１】
斯くして、図７に示す第１の実施形態において、堀溝にコンクリートを流し込む工法では、コンクリートの強度が安定して得られないことから、擁壁の施工現場に型枠大工や鉄筋工を投入して、前記タイバーの型枠を現場施工して、配筋を行った後にコンクリートを打設して鉄筋コンクリート製のタイバーを構築し、該タイバーにて擁壁とアンカーウェイトを連結固着する工法が実施されていることが多い。そして、施工現場に熟練度を必要とする型枠大工や配筋工を投入して鉄筋コンクリート製のタイバーを現場施工とすることは、工期の短縮や、施工費のコストダウンには、中々繋がらないという欠点を生じさせている。
【００１２】
また、特許文献１の図８に示す第２の実施形態においては、擁壁と安定地盤上に設置されるアンカーウェイト間を連結固着するタイバーをアーム状のＰＣコンクリート部材で製作したり、略三角形状のＰＣコンクリート成形品からなるタイバーを製作して擁壁とアンカーウェイト間を連結固着する方法も開示されているが、この工法では、擁壁と安定地盤上に設置されるアンカーウェイト間の距離が現場毎に異なったり、同一現場内でも擁壁とアンカーウェイト間の距離は異なる場合があり、ＰＣコンクリート工場で金型枠を用いて同一形状物のタイバーを量産するといったＰＣコンクリート工法に用いる事は、非常に効率が悪く不向きであるという欠点を有している。
【００１３】
更に、大きくて重い略三角形状のＰＣコンクリート成形品からなるタイバーをＰＣ工場にて製作して現場に搬入、並びに取付施工することは、傾斜地を含む狭隘な地域での工事に制限を加えることになり、当該ＰＣコンクリートによるタイバーの施工方法は改良を求められてきている。
【先行技術文献】
【特許文献】
【００１４】
【特許文献１】特開２０００−２９７４０３号公報
【発明の概要】
【発明が解決しようとする課題】
【００１５】
本発明が解決しようとする課題は、擁壁の積層現場において、擁壁と安定地盤上に設置されるアンカーウェイト間を連結固定するためのタイバーは、堀溝への捨てコンクリート工法や、型枠大工や鉄筋工を投入して、タイバーの型枠を製作して、配筋工が配筋を行った後にコンクリートを打設して鉄筋コンクリート製のタイバーを構築している点に注目し、施工現場に熟練度を必要とする型枠大工や配筋工を投入して鉄筋コンクリート製のタイバーを現場施工とすることは、工期の短縮や施工費のコストダウンには繋がらないので、この点を解消する新しいタイバーの構造や施工方法を提案する。
【００１６】
また、本発明は、擁壁と安定地盤上に設置されるアンカーウェイト間を連結固着するタイバーをアーム状のＰＣコンクリート部材で製作したり、略三角形状のＰＣコンクリート成形品からなるタイバーを製作して擁壁とアンカーウェイト間を連結固着する従来工法があるが、この工法では、擁壁と安定地盤上に設置されるアンカーウェイト間の距離が現場毎に異なったり、同一現場内でも擁壁とアンカーウェイト間の距離は異なる場合が多くあり、非常に効率が悪いので、この点を解消するものである。
【００１７】
そして、本発明は、大きくて重い略三角形状のＰＣコンクリート成形品からなるタイバーをＰＣ工場で製作して現場に搬入し、取付施工することを改め、傾斜地を含む狭隘な地域でも施工が可能で、また、工事が短期間で、比較的安価に施工出来る擁壁の施工方法を提供することを目的とするものである。
【課題を解決するための手段】
【００１８】
本発明は、親杭上部が構成する支柱により垂直方向に積層される複数枚の擁壁パネル、該積層された複数枚の擁壁パネルから高さ方向で任意に選択された擁壁パネル、該選択された擁壁パネルの裏面から対向する方向で安定地盤上に設置されたアンカーウェイト間に介在して選択された擁壁パネルとアンカーウェイトを連結固定するタイバーからなり、該タイバーはＵ字形状を有したコンクリート片からなるタイバー部材から構成され、該タイバー部材を複数個縦列して前記選択された擁壁パネルとアンカーウェイト間に設置し、該選択された擁壁パネルとアンカーウェイト間に緊張可能な緊張シャフト又は緊張ワイヤーからなる緊張線材を複数本配設し、該緊張線材が前記複数個縦列配置されたＵ字形状コンクリート片からなるタイバーのＵ字形状内部に配設され、該タイバーが構成するＵ字形状内部にコンクリートを打設して前記選択された擁壁パネルとタイバーそしてアンカーウェイトを連結して緊張固定する擁壁とアンカーウェイトを連結固定するためのタイバーを提供するものである。
【００１９】
本発明において、前記選択された擁壁パネルとアンカーウェイトは、同一形状ＰＣコンクリートパネルを使用可能で、該アンカーウェイトパネルの前面には複数本の緊張線材係止端部が埋め込まれており、該緊張線材係止端部から引き出された複数本の緊張線材はＵ字形状コンクリート片からなるタイバーのＵ字形状内部に配設され、前記選択された擁壁パネルの板厚部を貫通して擁壁パネル前面に設けられた外端部の緊締ネジ部に接続されている。
【００２０】
また、本発明において、前記タイバーはＵ字形状を有したコンクリート片からなるタイバー部材から構成され、該タイバー部材を複数個縦列して前記選択された擁壁パネルとアンカーウェイト間に設置され、該縦列配置されるタイバー部材は上部をコンクリート打設用に開口され、該開口部は平面的に夫々弓型、又は、く型に形成されていて、上部開口部からコンクリートが打設された場合にタイバー部材とコンクリートが強固に一体化されるように構成して型枠大工や鉄筋工の現場作業を不要にした。
【００２１】
更に、本発明においては、前記コンクリート片からなるタイバー部材を複数個縦列して選択された擁壁パネルと安定地盤上に設置されるアンカーウェイト間に設置するにあたり、該擁壁パネルとアンカーウェイト間にタイバー部材を縦列して設置しタイバー部材とタイバー部材間に隙間が生じる場合には可撓性のプラスチックス樹脂からなるタイバー部材のジョイント枠材を用いることにより、型枠大工の現場作業を不要にした。
【発明の効果】
【００２２】
斯くして、本発明は、選択された擁壁パネルの裏面から対向する方向で安定地盤上に設置されたアンカーウェイト間に介在して選択された擁壁パネルとアンカーウェイトを連結固定するタイバーからなり、該タイバーはＵ字形状を有したコンクリート片からなるタイバー部材から構成され、該タイバー部材を複数個縦列して前記選択された擁壁パネルとアンカーウェイト間に設置し、該選択された擁壁パネルとアンカーウェイト間に緊張可能な緊張シャフト又は緊張ワイヤーからなる緊張線材を複数本配設し、該緊張線材が前記複数個縦列配置されたＵ字形状コンクリート片からなるタイバーのＵ字形状内部に配設され、該タイバーが構成するＵ字形状内部にコンクリートを打設して前記選択された擁壁パネルとタイバーそしてアンカーウェイトを連結して緊張固定する擁壁とアンカーウェイトを連結固定するためのタイバーを提供するもので、従来の型枠構築工事に代わり、コンクリート片からなるタイバー部材を採用して、且つ、擁壁パネルとタイバー、そしてアンカーウェイトを連結して緊張固定することにより、安定した強度を有するタイバーを型枠大工や鉄筋工を必要とせず、工期の短縮や施工費のコストダウンを大幅に図ることが可能になった。
【００２３】
また、本発明では、従来の工法が、擁壁と安定地盤上に設置されるアンカーウェイト間を連結固着するタイバーをアーム状のＰＣコンクリート部材で製作したり、略三角形状のＰＣコンクリート成形品からなるタイバーを製作して擁壁とアンカーウェイト間を連結固着する方法のために、擁壁と安定地盤上に設置されるアンカーウェイト間の距離が現場毎に異なったり、同一現場内でも擁壁とアンカーウェイト間の距離は異なる場合に対応出来ず非常に効率が悪かった点を解消することが可能になった。
【００２４】
そして、本発明においては、従来、大きくて重い略三角形状のＰＣコンクリート成形品からなるタイバーを工場製作して現場に搬入し取付することを改め、傾斜地を含む狭隘な地域でもコンクリート片からなるタイバー部材を採用して、且つ、擁壁パネルとタイバーそしてアンカーウェイトを連結して緊張固定することにより、傾斜地を含む狭隘な住宅地でも施工が可能で、また、工事が短期間で、比較的安価に施工出来る擁壁の施工方法を提供することが可能になった。
【図面の簡単な説明】
【００２５】
【図１】（Ａ）本発明に使用される擁壁パネルの形状を示す平面図である。           （Ｂ）本発明に使用される擁壁パネルの形状を示す正面図である。
【図２】本発明を傾斜地に実施した状態を示す平面説明図である。
【図３】図２のＡ−Ａ断面図である。
【図４】擁壁パネル、タイバー、アンカーウェイトの構成を示す斜視説明図である。
【図５】擁壁パネル、タイバー、アンカーウェイトの構成を示す平面図である。
【図６】タイバー部材のジョイント枠材を示す斜視図である。
【図７】従来の擁壁の施工例を説明する断面図である。
【図８】従来の擁壁の施工例を説明する断面図である。
【発明を実施するための形態】
【００２６】
従来、擁壁の積層現場において、擁壁と安定地盤上に設置されるアンカーウェイト間を連結固定するためのタイバーは、型枠大工や鉄筋工を投入して、タイバーの型枠を製作してから配筋工が配筋を行った後にコンクリートを打設して鉄筋コンクリート製のタイバーを構築しているが、施工現場に熟練度を必要とする型枠大工や配筋工を投入して鉄筋コンクリート製のタイバーを現場施工とすることは、工期の短縮や施工費のコストダウンには繋がらない。
【００２７】
従って、本発明は、親杭上部が構成する支柱により垂直方向に積層される複数枚の擁壁パネル、該積層された複数枚の擁壁パネルから高さ方向で任意に選択された擁壁パネル、該選択された擁壁パネルの裏面から対向する方向で安定地盤上に設置されたアンカーウェイト間に介在して選択された擁壁パネルとアンカーウェイトを連結固定するタイバーからなり、該タイバーはＵ字形状を有したコンクリート片からなるタイバー部材から構成され、該タイバー部材を複数個縦列して前記選択された擁壁パネルとアンカーウェイト間に設置し、該選択された擁壁パネルとアンカーウェイト間に緊張可能な緊張シャフト又は緊張ワイヤーからなる緊張線材を複数本配設し、該緊張線材が前記複数個縦列配置されたＵ字形状コンクリート片からなるタイバーのＵ字形状内部に配設され、該タイバーが構成するＵ字形状内部にコンクリートを打設して前記選択された擁壁パネルとタイバーそしてアンカーウェイトを連結して緊張固定することを提案して、工期の短縮や施工費のコストダウンを図るものである。
【００２８】
また、従来の擁壁施工方法には、擁壁と安定地盤上に設置されるアンカーウェイト間を連結固着するタイバーをアーム状のＰＣコンクリート部材で製作したり、略三角形状のＰＣコンクリート成形品からなるタイバーを製作して擁壁とアンカーウェイト間を連結固着する方法がある。然し、当該工法では、擁壁と安定地盤上に設置されるアンカーウェイト間の距離が現場毎に異なったり、同一現場内でも擁壁とアンカーウェイト間の距離は異なる場合が多くあり、非常に効率が悪いので、この点を本発明では、タイバーはＵ字形状を有したコンクリート片からなるタイバー部材から構成して、該タイバー部材を複数個縦列して前記選択された擁壁パネルとアンカーウェイト間に設置し、該選択された擁壁パネルとアンカーウェイト間に緊張可能な緊張シャフト又は緊張ワイヤーからなる緊張線材を複数本配設し、該緊張線材が前記複数個縦列配置されたＵ字形状コンクリート片からなるタイバーのＵ字形状内部に配設され、該タイバーが構成するＵ字形状内部にコンクリートを打設して前記選択された擁壁パネルとタイバーそしてアンカーウェイトを連結して緊張固定することで解決した。
【００２９】
更に、本発明は、従来の擁壁施工工法の如く、大きくて重い略三角形状のＰＣコンクリート成形品からなるタイバーを工場製作して現場に搬入し取付することを改め、タイバーはＵ字形状を有したコンクリート片からなるタイバー部材から構成して、傾斜地を含む狭隘な地域でも施工が可能で、また、工事が短期間で、比較的安価に施工出来る擁壁の施工方法を提供するものである。
【実施例１】
【００３０】
図１乃至図５は本発明の実施例１を説明するものであり、図１（Ａ）は本発明に使用される擁壁パネルの平面図、図１（Ｂ）は図１（Ａ）の正面図、図２は本発明を傾斜地に実施した状態を示す平面説明図、図３は図２のＡ−Ａ断面図、図４は擁壁パネル、タイバー、アンカーウェイトの構成を示す斜視説明図、図５は擁壁パネル、タイバー、アンカーウェイトの構成を示す平面図である。
【００３１】
図１（Ａ）（Ｂ）において、１は擁壁パネル、２は擁壁パネル１の中央部に構成される貫通穴、３はタイバー固着面、４は擁壁パネルを積層する際に他の擁壁パネルとの嵌合に使用されるガイドピンを示している。
【００３２】
実施例１において、擁壁を構成する夫々の擁壁パネル１は中央部に親杭の上部が構成するＨ型鋼等による支柱を挿入できる貫通穴２を有し、該貫通穴２の外周部にはブラケット状に突設された形状で一部にタイバー固着面３を形成可能であり、該擁壁パネル１の表面は前記支柱の貫通穴２を中心に左右方向に等しく展開する平板形状を有しており、該擁壁パネル１は打設された親杭の上部に形成された支柱に挿入されて積層され擁壁を構成するものである。
【００３３】
また、本発明においては、詳しく後述するが前記擁壁パネル１をタイバーを介して傾斜面側の安定地盤上に設置され場合にアンカーウェイトの役割をも果たすもので、この場合には同一部材を兼用するものであるが、アンカーウェイトの名称を用いて実施例１を説明していくものである。
【００３４】
図２は本発明を傾斜地に実施他状態を示す平面図であり、図２において、１ａ、１ｂ、１ｃ・・・は擁壁パネル、２ａ、２ｂ、２ｃ・・・は貫通穴、５ａ、５ｂ、５ｃ・・・親杭の上部の形成された支柱、６ａ、６ｂ、６ｃ・・・はアンカーウェイトで、該アンカーウェイト６ａ、６ｂ、６ｃ・・・は夫々前記擁壁パネル１ａ、１ｂ、１ｃ・・・と互い違いに積層され、擁壁パネル１ａ、１ｂ、１ｃ・・・と同様に
支柱５ａ、５ｂ、５ｃ・・・が夫々の擁壁パネル１ａ、１ｂ、１ｃ・・・の貫通穴２ａ、２ｂ、２ｃ・・・に挿入され擁壁パネルやアンカーウェイトを積層している。
【００３５】
而して、７ａ、７ｂ、７ｃ・・・はタイバー部材が縦列されて形成したタイバーで、該タイバー７ａ、７ｂ、７ｃは、擁壁パネル１ａ、１ｂ、１ｃ・・・とアンカーウェイト６ａ、６ｂ、６ｃ…を夫々連結固定しており、該固定方法は後述するが緊張線材による緊張固定方法を採用している。
尚、図２において、８は既存のもたれ擁壁、９は階段を示している。
【００３６】
図３は図２のＡ−Ａ断面図を示すものであり（符号は補助記号を出来るだけ外し解りやすく記載）、１、１ａ、１ｂ、１ｃ・・・は擁壁パネル、２は貫通穴、５は親杭１０の上部に形成された支柱、６はアンカーウェイト、７はタイバー、１１ａ、１１ｂ、１１ｃ・・・はタイバー７を構成するタイバー部材、８は既存のもたれ擁壁、１２は造成地盤を示している。
【００３７】
図３においては、既存もたれ擁壁８の内側に擁壁パネル１を支持するピッチにて並列して３列の親杭１０を打設し夫々の親杭上部に支柱５を植設して、該支柱５に擁壁パネルの１の貫通穴２を挿入し、前記複数枚の擁壁パネル１を夫々積層する。そして、積層された擁壁パネル１に対向する位置に設けられた内側の擁壁パネル１にアンカーウェイト６としての役割をもたせて、該擁壁パネル１とアンカーウェイト６間にタイバー部材１１ａ、１１ｂ、１１ｃ・・・からなるタイバー７を設置して前記擁壁パネル１とアンカーウェイト６を連結着させる。
【００３８】
図４及び図５は、前記擁壁パネル１、タイバー７、アンカーウェイト６の構成を説明するものであり、図において、１、１ａ、１ｂ、１ｃ・・・は擁壁パネル、２は貫通穴、３はタイバー固着面、５は支柱、６はアンカーウェイト、７はタイバー、１０は親杭、１１ａ、１１ｂ、１１ｃ・・・はタイバー部材、１２ａ、１２ｂ、１２ｃ、１２ｄは緊張線材、１３はＵ字形状内部、１４は緊張線材係止端部、１５は外部緊締ネジ部、１６は外部緊締ネジカバーである。
【００３９】
斯くして、本発明の実施例１は、親杭１０上部が構成する支柱５により垂直方向に積層される複数枚の擁壁パネル１、１ａ、１ｂ、１ｃ・・・において、該積層された複数枚の擁壁パネル１、１ａ、１ｂ、１ｃ・・・から高さ方向で任意に選択された擁壁パネル１、該選択された擁壁パネル１の裏面から対向する方向で安定地盤上に設置されたアンカーウェイト６間に介在して選択された擁壁パネル１とアンカーウェイト６を連結固定するタイバー７からなり、該タイバー７はＵ字形状を有したコンクリート片からなるタイバー部材１１ａ、１１ｂ、１１ｃ・・・から構成され、該タイバー部材１１ａ、１１ｂ、１１ｃ・・・
を複数個縦列して前記選択された擁壁パネル１とアンカーウェイト６間に設置し、該選択された擁壁パネル１とアンカーウェイト６間に緊張可能な緊張シャフト又は緊張ワイヤーからなる緊張線材１２ａ、１２ｂ、１２ｃ、１２ｄを複数本配設し、該緊張線材１２ａ１２ｂ、１２ｃ、１２ｄが前記複数個縦列配置されたＵ字形状コンクリート片からなるタイバー７のＵ字形状内部に配設され、該タイバー７が構成するＵ字形状内部１３にコンクリートを打設して前記選択された擁壁パネル１とタイバー７そしてアンカーウェイト６を連結して緊張固定させるものである。
【００４０】
また、実施例１は、前記選択された擁壁パネル１とアンカーウェイト６は同一形状ＰＣコンクリートパネルを使用可能で、特にアンカーウェイト６のパネルはアンカーウェイト６として使用する場合にはその裏表は図４、図５の如く両面自由に使用できる。そして、アンカーウェイト６のパネルの前面には、複数本の緊張線材係止端部１４が埋め込まれており、該緊張線材係止端部１４から引き出された複数本の緊張線材１２ａ、１２ｂ、１２ｃ、１２ｄはＵ字形状コンクリート片からなるタイバーのＵ字形状内部１３に配設され、前記選択された擁壁パネルの板厚部を貫通して擁壁パネル１前面に設けられた外端部緊締ネジ部１５に接続されていることを特徴としている。
【００４１】
更に、実施例１の特徴として、前記タイバーはＵ字形状を有したコンクリート片からなるタイバー部材１１ａ、１１ｂ、１１ｃ・・・から構成され、該タイバー部材を複数個縦列して前記選択された擁壁パネル１とアンカーウェイト６間に設置され、該縦列配置されるタイバー部材１１ａ、１１ｂ、１１ｃ・・・は上部をコンクリート打設用に開口され、該開口部は平面的に夫々弓型、またはく型に形成されていて、打設されたコンクリートがタイバー７と強固に一体化されているものである。
【実施例２】
【００４２】
図６は実施例２を説明する斜視図であり、１１ａ、１１ｂはタイバー部材、１７はジョイント枠材である。実施例２は、前記コンクリート片からなるタイバー部材１１ａ、１１ｂ、１１ｃ・・・を複数個縦列して選択された擁壁パネル１と安定地盤上に設置されるアンカーウェイ６ト間に設置するにあたり、該擁壁パネル１とアンカーウェイト６間にタイバー部材１１ａ、１１ｂを縦列して設置し、タイバー部材とタイバー部材間に隙間が生じる場合には可撓性のプラスチックス樹脂からなるタイバー部材のジョイント枠材１７を用いることを特徴としている。
【００４３】
斯くして、本発明は、選択された擁壁パネルの裏面から対向する方向で安定地盤上に設置されたアンカーウェイト間に介在して選択された擁壁パネルとアンカーウェイトを連結固定するタイバーからなり、該タイバーはＵ字形状を有したコンクリート片からなるタイバー部材から構成され、該タイバー部材を複数個縦列して前記選択された擁壁パネルとアンカーウェイト間に設置し、該選択された擁壁パネルとアンカーウェイト間に緊張可能な緊張シャフト又は緊張ワイヤーからなる緊張線材を複数本配設し、該緊張線材が前記複数個縦列配置されたＵ字形状コンクリート片からなるタイバーのＵ字形状内部に配設され、該タイバーが構成するＵ字形状内部にコンクリートを打設して前記選択された擁壁パネルとタイバーそしてアンカーウェイトを連結して緊張固定する擁壁とアンカーウェイトを連結固定するためのタイバーを提供するもので、従来の型枠構築工事に代わり、コンクリート片からなるタイバー部材を採用して、且つ、擁壁パネルとタイバー、そしてアンカーウェイトを連結して緊張固定することにより、現場でコンクリート強度の安定したタイバーを提供でき、その施工工事は型枠大工や鉄筋工を必要とせず、工期の短縮や施工費のコストダウンを大幅に図ることが可能になった。
【００４４】
また、本発明では、従来工法が、擁壁と安定地盤上に設置されるアンカーウェイト間を連結固着するタイバーをアーム状のＰＣコンクリート部材で製作したり、略三角形状のＰＣコンクリート成形品からなるタイバーを製作して擁壁とアンカーウェイト間を連結固着する方法のために、擁壁と安定地盤上に設置されるアンカーウェイト間の距離が現場毎に異なったり、同一現場内でも擁壁とアンカーウェイト間の距離は異なる場合に対応出来ず非常に効率が悪かった点を解消することが可能になった。
【００４５】
そして、本発明においては、従来、大きくて重い略三角形状のＰＣコンクリート成形品からなるタイバーを工場製作して現場に搬入し取付することを改め、傾斜地を含む狭隘な地域でもコンクリート片からなるタイバー部材を採用して、且つ、擁壁パネルとタイバーそしてアンカーウェイトを連結して緊張固定することにより、傾斜地を含む狭隘な住宅地でも施工が可能で、また、工事が短期間で、比較的安価に施工出来る擁壁の施工方法を提供することが可能になった。
【符号の説明】
【００４６】
１、１ａ、１ｂ、１ｃ・・・  擁壁パネル
２、２ａ、２ｂ、２ｃ・・・  貫通穴
３  タイバー固着面
４  ガイドピン
５、５ａ、５ｂ、５ｃ・・・  支柱
６、６ａ、６ｂ、６ｃ・・・  アンカーウェイト
７、７ａ、７ｂ、７ｃ・・・  タイバー
８  既存もたれ擁壁
９  階段
１０  親杭
１１ａ、１１ｂ、１１ｃ・・・  タイバー部材
１２ａ、１２ｂ、１２ｃ、１２ｄ  緊張線材
１３  Ｕ字形状内部
１４  緊張線材係止端部
１５  外端部緊締ネジ部
１６  外部緊締ネジカバー  
１７  ジョイント枠材
【図１】
2012097525.tif 000003
【図２】
2012097525.tif 000004
【図３】
2012097525.tif 000005
【図４】
2012097525.tif 000006
【図５】
2012097525.tif 000007
【図６】
2012097525.tif 000008
【図７】
2012097525.tif 000009
【図８】
2012097525.tif 000010